(57)【要約】【課題】施工性に優れながら、高い外観品質を確保可能な床構造を提供すること。【解決手段】床Ｆ１に開口部５１が設けられているとともに、開口部５１を開閉する蓋体５２が設けられ、開口部５１の周囲の床Ｆ１には、所定間隔の目地２１ａを有するとともに、無地、石目調を含む方向性の無い柄を有する床仕上材２１が敷設され、蓋体５２は、床仕上材２１の目地２１ａの間隔よりも大きな寸法に形成され、かつ、床仕上材２１と同素材、同柄であり目地２１ａを有しない表面仕上材５２２により覆われている床構造とした。【選択図】図１
2018087473.tif 000002
【特許請求の範囲】
【請求項１】
床に開口部が設けられているとともに、前記開口部を開閉する蓋体が設けられ、
前記開口部の周囲の前記床には、所定間隔の目地を有するとともに、無地、石目調を含む方向性の無い柄を有する床仕上材が敷設され、
前記蓋体は、前記床仕上材の前記目地の間隔よりも大きな寸法に形成され、かつ、前記床仕上材と同素材、同柄であり目地を有しない表面仕上材により覆われている
ことを特徴とする床構造。
【請求項２】
請求項１に記載の床構造において、
前記蓋体は、外周が枠体により囲まれている
ことを特徴とする床構造。
【請求項３】
請求項１または請求項２に記載の床構造を有した床の施工方法であって、
工場において、
建物ユニットの前記床に、前記開口部を設ける工程と、
前記床に、前記開口部を囲んで前記床仕上材を敷設する工程と、
前記開口部に、前記表面仕上材が設けられた前記蓋体を設置する工程と、
を実行することを特徴とする床の施工方法。
【発明の詳細な説明】
【技術分野】
【０００１】
本開示は、床構造および床の施工方法に関するものである。
【背景技術】
【０００２】
従来、床に床下収納庫などに連通する開口部およびこれを開閉する蓋体を備え、床に床仕上材が設けられ、蓋体に表面仕上材が設けられた床構造が知られている（例えば、特許文献１〜３参照）。
【０００３】
特許文献１に記載には、床の床仕上材として木製のフローリング材が用いられ、床に設けられた点検口を開閉する蓋体の表面仕上材として滑り止め用の合成樹脂製シートが用いられた床構造が開示されている。
【０００４】
特許文献２に記載には、床の床仕上材としてフローリング板が用いられ、床に設けられた点検口を開閉する蓋体の表面仕上材として、床と同材質のフローリング板が用いられた床構造が開示されている。
【０００５】
特許文献３に記載には、床の床仕上材としてフローリング板が用いられ、床下に設けられた収納庫の上方位置に設けられた開口部を開閉する蓋体の表面仕上材としてフローリング板が設けられた床構造が開示されている。
【先行技術文献】
【特許文献】
【０００６】
【特許文献１】実用新案３０５０７５２号公報
【特許文献２】特開２００７−９５５１号公報
【特許文献３】特開２０１１−１０２５２６公報
【発明の概要】
【発明が解決しようとする課題】
【０００７】
しかしながら、特許文献１に記載のように、床の床仕上材と蓋体の表面仕上材とが全く異なる材質により形成されたものでは、両者の連続性が無く、外観品質に劣る。
【０００８】
特許文献２，３に記載のように、床の床仕上材と蓋体の表面仕上材とにフローリング板を用いたものでは、蓋体のフローリング板の目地が、床のフローリング板の目地とずれると違和感を与えるため、両者の目地を一致させて外観品質を確保する必要がある。このため、蓋体の設置作業に手間がかかる。特に、床下収納庫など施工現場で取付作業を行う場合、施工現場での作業の手間が増え、施工性に劣る。
【０００９】
本開示は、施工性に優れながら、高い外観品質を確保可能な床構造および床の施工方法を提供することを目的とする。
【課題を解決するための手段】
【００１０】
上述の目的を達成するため、本開示の床構造は、開口部を開閉する蓋体が、床仕上材の目地の間隔よりも大きな寸法に形成され、かつ、床仕上材と同素材、同柄であり目地を有しない表面仕上材により覆われている床構造とした。
【００１１】
なお、前記蓋体は、外周が枠体により囲まれていることが好ましい。
【００１２】
また、上述の目的を達成するため、本開示の床の施工方法は、
工場において、前記開口部に、前記表面仕上材が設けられた前記蓋体を設置する工程を実行する床の施工方法とした。
【発明の効果】
【００１３】
したがって、本開示の床構造では、蓋体の設置時に、表面仕上材と床仕上材との目地を連続させるように設置する作業が不要となり、施工性に優れる。また、表面仕上材と床仕上材とは、同柄の同材質のものを用いるため、表面仕上材に目地が無くても、両者の統一性が得られ、両者に異なる材質のものを用いた場合と比較して、外観品質を確保できる。よって、本開示の床構造は、施工性に優れながら、高い外観品質を確保可能である。
【００１４】
さらに、蓋体の外周に外枠材を設けたものでは、床の床仕上材と蓋体の表面仕上材との間が枠体により区画され、床仕上材の目地の連続性が外枠材により断たれる。このため、枠材により両者が区画されないものと比較して、目地の不連続による違和感を与えにくく、高い外観品質を確保できる。
【００１５】
本開示の床の施工方法では、工場において、表面仕上材が設けられた蓋体を開口部に設置する。このため、蓋体の設置を施工現場で行うものと比較して、施工現場での作業を削減でき、施工性に優れる。
【図面の簡単な説明】
【００１６】
【図１】実施の形態１の床構造を適用したユニット建物の平面図であって、施工現場において床仕上材の敷設後の状態を示す。
【図２】実施の形態１の制振構造を適用したユニット建物の平面図であって、施工現場において床仕上材の敷設前の状態を示す。
【図３】実施の形態１の床構造を適用した床の断面図であって、図２のＳ３−Ｓ３の位置での断面を示す。
【図４】実施の形態１の床構造を適用した床の断面図であって、図２のＳ４−Ｓ４の位置での断面を示す。
【図５】実施の形態１の床構造を適用した床の断面図であって、図１のＳ５−Ｓ５の位置での断面を示す。
【図６】実施の形態１の床構造を適用した第１の建物ユニットの工場において床仕上材を敷設した後の状態の床を示す平面である。
【図７】第１の建物ユニットに敷設する床仕上材として用いる仕上材連続体を示す平面図であり、（ａ）は基本的な仕上材連続体を示し、（ｂ）は第１の建物ユニットの端部に敷設する幅狭の仕上材連続体を示し、（ｃ）は開口部の周縁に敷設する一部にカット部を設けた仕上材連続体を示し、（ｄ）は開口部の周縁に敷設する中間を切除したカット部を設けた仕上材連続体を示し、（ｅ）は開口部の周縁に敷設する一部にカット部を設けた仕上材連続体を示す。
【図８】実施の形態１の床構造における開口部および蓋体を示す断面図である。
【図９】実施の形態１の床構造に適用した蓋体の表面仕上材を示す図であって、（ａ）は表面仕上材の平面図、（ｂ）は表面仕上材の断面図であり（ａ）のＳｂ−Ｓｂ線の位置で切断した状態を示す。
【発明を実施するための形態】
【００１７】
以下、本開示の床構造を実施するための形態を、図面に基づいて説明する。
（実施の形態１）
まず、実施の形態１の床構造の構成を説明する。
【００１８】
図１は、実施の形態１の床構造を備えたユニット建物の一部の床Ｆを示す平面図である。
【００１９】
この床Ｆは、第１の建物ユニット１１と第２の建物ユニット１２と第３の建物ユニット１３とに跨って構築されている。なお、図１において点線は、各建物ユニット１１，１２，１３の境界を示す。
【００２０】
また、本実施の形態１では、第１の建物ユニット１１によってキッチンＫが形成され、第２の建物ユニット１２および第３の建物ユニット１３によって連続したリビングルームＬが形成されている。
【００２１】
第１〜第３の各建物ユニット１１〜１３は、工場において形成された骨組構造体に、床下地材、天井材などを組み付けて構成された周知のものである。
【００２２】
なお、骨組構造体は、柱、天井梁、床大梁、床小梁を接合して形成されたもので、図３〜図５に、各建物ユニット１１〜１３の骨組構造体の床部分の断面を示している。この床部分では、相対する床大梁１４に床小梁１５の両端のブラケット１６が取り付けられ、床大梁１４に設けられたスペーサ１７の上面および床小梁１５の上面に床下地材１８が敷設された構造となっている。さらに、床下地材１８の上には、床仕上材２１，２２が敷設されている。
【００２３】
上述の各建物ユニット１１〜１３は、これらを設置する施工現場において隣接して配置され、相互に結合することでユニット建物が構築されるとともに、図１に示すように、連続した床Ｆが形成される。
【００２４】
この床Ｆを構成する、第１の建物ユニット１１の床Ｆ１には、キッチンＫに好適な石目調であって方向性を有しない柄を有した床仕上材２１が敷設されている。この床仕上材２１は、薄板状の石材を並べた形態を演出するよう略正方形のグリッド状の目地２１ａが形成されている。なお、床仕上材２１は、図７（ａ）に示すように、目地２１ａに囲まれた正方形の枠を１単位として、その一辺に連続して複数単位（本実施の形態１では６単位）を一列に並べて一体とした仕上材連続体２１（Ａ）が用いられている。
【００２５】
この仕上材連続体２１（Ａ）が、工場において大量生産される基本的な形状のものである。さらに、この図７（ａ）に示す仕上材連続体２１（Ａ）を加工して仕上材連続体２１（Ａ）とは異なる形状の図７（ｂ）〜（ｅ）に示す仕上材連続体２１（Ｂ）〜２１（Ｅ）も床Ｆ１に用いているが、これらの詳細については後述する。
【００２６】
第２の建物ユニット１２および第３の建物ユニット１３の床Ｆ２，Ｆ３は、リビングルームＬに好適な木目調の方向性を有した柄を備えた床仕上材２２が敷設されている。この床仕上材２２には、木製の板を並べた形態を演出する一定幅および一定間隔の目地２２ａが形成されている。この床仕上材２２も、詳細は省略するが、目地２２ａに囲まれた範囲を１単位として、複数単位分を一体とした板幅、板長の連続体を複数連続して敷設して床Ｆ２、Ｆ３が形成されている。
【００２７】
図３に示すように、床仕上材２２の幅方向の一方の端縁部には、全長に亘って溝状の凹部２２Ｒが形成され、その反対側の端縁部には凹部２２Ｒに嵌り合う凸部２２Ｐが全長に亘って形成されている。したがって、床仕上材２２を敷設する場合、隣り合って配置される２枚の床仕上材２２，２２の一方の床仕上材２２の凹部２２Ｒに、もう一方の床仕上材２２の凸部２２Ｐを挿入して両者を嵌合させ、床下地材１８に接着あるいは釘打ちなどにより固定する。なお、仕上材連続体２１（Ａ）も、上記の凸部２２Ｐ、凹部２２Ｒと同様の嵌合構造を有するが、周知の構造であるので、図示は省略する。
【００２８】
また、図１に示すように、第１の建物ユニット１１の床Ｆ１に敷設された床仕上材２１と、第２の建物ユニット１２の床Ｆ２に敷設された床仕上材２２との間には、両者の境界として見切材４０が設けられている。この見切材４０は、アルミなどの金属製の連続長尺体であり、図５に示すように、ヘッド４１と脚部４２とを有する。ヘッド４１は、床仕上材２１，２２の端縁部の上に配置され、床仕上材２１，２２を覆い隠す。脚部４２は、床仕上材２１，２２の間に設けられた隙間Ｇに挿入されて、この隙間Ｇに充填された接着剤４３により固定される。なお、見切材４０の材質は、上記のアルミなどの金属に限定されるものではなく、樹脂などの他の素材のものを用いることができる。
【００２９】
ここで、床仕上材２１，２２の敷設について説明を加える。
【００３０】
図１は、各建物ユニット１１〜１３を結合してユニット建物を構築した後に、床仕上材２１，２２を敷設した後の床Ｆの状態を示している。一方、図２は、各建物ユニット１１〜１３の工場での施工を終了した時点、すなわち、施工現場で、床仕上材２１，２２を敷設する前の各床Ｆ１，Ｆ２，Ｆ３の状態を示している。
【００３１】
図２に示すように、本実施の形態１の第１の建物ユニット１１では、工場において、図２、図６に示す工場敷設範囲ＫＦ１に、床仕上材２１を敷設する。一方、この第１の建物ユニット１１において、短辺の一方に沿う端縁部およびこれに隣接する長辺とのコーナ部分の近傍に、現場敷設範囲ＧＦ１１、ＧＦ１２が設定されている。この現場敷設範囲ＧＦ１１，ＧＦ１２には、ユニット建物の施工現場において床仕上材２１を敷設する。
【００３２】
また、工場敷設範囲ＫＦ１の床仕上材２１の上にキッチン台３１、収納棚３２を含む設備機器３０が設置されている。
【００３３】
さらに、第１の建物ユニット１１では、工場敷設範囲ＫＦ１および現場敷設範囲ＧＦ１１、ＧＦ１２に床仕上材２１を敷設した後の状態で、図２および図４に示すように、第２の建物ユニット１２側の端部に沿って、床仕上材２１が敷設されずに床下地材１８が露出した状態の接続領域ＣＳ１２が設けられている。この接続領域ＣＳ１２には、後述するが、図４、図５に示すように、第２の建物ユニット１２から連続して床仕上材２２が敷設される。
【００３４】
また、図２に示すように、第２の建物ユニット１２は、その床Ｆ２の全面が、床仕上材２２が工場では敷設されずに施工現場において敷設される現場敷設範囲ＧＦ２とされている。
【００３５】
第３の建物ユニット１３の床Ｆ３では、工場において、第２の建物ユニット１２の床Ｆ２とに跨って設定された接続領域ＣＳ２３を除いた略全面が、工場敷設範囲ＫＦ３とされている。なお、第３の建物ユニット１３の床Ｆ３では、工場において、工場敷設範囲ＫＦ３の第２の建物ユニット１２と接続する側とは反対側から接続領域ＣＳ２３に向けて床仕上材２２を敷設する。
【００３６】
（第１の建物ユニットの床構造）
次に、第１の建物ユニット１１の床Ｆ１の床構造についてさらに詳細に説明する。
【００３７】
この体１の建物ユニット１１により形成されるキッチンＫの床Ｆ１には、図８に示すように、開口部５１が設けられているとともに、この開口部５１を開閉する蓋体５２が設けられている。この開口部５１は、例えば、床Ｆ１の下側に設けられた床下収納庫への出し入れ用として開口されたり、点検口として開口されたりしたものである。
【００３８】
開口部５１および蓋体５２は、図６に示すように、床仕上材２１の目地２１ａの間隔よりも大きな寸法に形成されており、本実施の形態１では、グリッドの２つ分の寸法程度の大きさに形成されている。このため、本実施の形態１では、第１の建物ユニット１１の幅方向に沿う方向の目地２１ａおよび長手方向に沿う方向の目地２１ａが、蓋体５２に対して交差するように配置されている。
【００３９】
また、蓋体５２の外周は、枠体５３により囲まれている。
【００４０】
この枠体５３は、図８に示すように、開口部５１の内周に設けられた開口側枠部材５４と、蓋体５２の外周に設けられた蓋側枠部材５２３とにより構成されている。
【００４１】
開口側枠部材５４は、開口部５１の内周に沿う枠状のアルミ製の部材であって、上側部材５４１と下側部材５４２とに上下に分割されている。
【００４２】
上側部材５４１は、タッピンネジ５４３により床下地材１８に取り付けられている。また、下側部材５４２は、タッピンネジ５４４により、開口部５１の周囲に設けられた根太５５に固定されている。
【００４３】
そして、上側部材５４１は、開口部５１に沿って配置された床仕上材２１の縁部を覆う外枠フランジ部５４５を備える。また、下側部材５４２は、開口部５１の内側に張り出して蓋体５２の外周縁部支持する支持フランジ部５４６を備える。
【００４４】
（蓋体の構成）
次に、蓋体５２の構成について説明する。
【００４５】
蓋体５２は、本体５２１と表面仕上材５２２と上述した蓋側枠部材５２３と取っ手５２４（図６参照）とを備える。
【００４６】
本体５２１は、合板により形成され、その下面には、図示を省略した断熱材を備える。
【００４７】
表面仕上材５２２は、本体５２１の上面を覆うもので、床仕上材２１と同一の素材で形成されて同一の石目調の柄を有し、かつ、図９（ａ）（ｂ）に示すように、床仕上材２１とは異なり目地２１ａを有しない１枚の板材により形成されている。また、表面仕上材５２２には、本体５２１に取り付けられた取っ手５２４（図６参照）を収容する穴５２２ａが開口されている。
【００４８】
蓋側枠部材５２３は、アルミ製の枠部材であり、蓋体５２の外周に沿う枠状に形成されており、図８に示すように、上側フランジ５２３ａと下側フランジ５２３ｂと枠本体５２３ｃとにより略Ｕ字断面形状に形成されている。
【００４９】
上側フランジ５２３ａは、蓋体５２の表面仕上材５２２の外周縁の上側に沿って配置されている。
【００５０】
下側フランジ５２３ｂは、本体５２１の外周縁の下側に沿って設けられ、タッピンネジ５２３ｄにより本体５２１に固定されている。
【００５１】
枠本体５２３ｃは、両フランジ５２３ａ、５２３ｂの端部を連結し、かつ、蓋体５２の外周端面に沿って配置されている。
【００５２】
さらに、開口部５１の開口側枠部材５４の下側部材５４２と、蓋体５２の蓋側枠部材５２３の下側フランジ５２３ｂとは、リンク機構５６を介して連結されている。このリンク機構５６は、蓋体５２を、図示の開口部５１を閉じた閉位置と、この閉位置から上方に持ち上げながら回動させて開口部５１を開く開位置（図示省略）とに移動可能とするものである。なお、図８では、リンク機構５６を１つのみ図示しているが、対向位置にも設けられており、一対のリンク機構５６により蓋体５２を移動可能に支持している。
【００５３】
（床の施工方法）
次に、床Ｆの施工方法を工場内で実行する工程と現地で実行する工程とに分けて順に説明する。
【００５４】
＜工場における工程＞
床Ｆを施工するにあたり、工場において実行する工程を説明する。
【００５５】
まず、第１の建物ユニット１１および第３の建物ユニット１３の図２に示す工場敷設範囲ＫＦ１、ＫＦ３において、それぞれ、石目調の床仕上材２１と木目調の床仕上材２２とを床下地材１８の上に敷設する。
【００５６】
この場合、第１の建物ユニット１１では、床仕上材２１を、その長手方向の一端を、第２の建物ユニット１２とは反対側の縁部１１ｂに当接する位置に配置し、図２の矢印ＦＳ１の方向に沿って、第１の建物ユニット１１の一方の短辺側の縁部１１ａから現場敷設範囲ＧＦ１１に向けて矢印ＦＳ１に沿う方向に順に敷設する。この際、図示を省略した凸部と凹部とを嵌合させながら敷設する。
【００５７】
そして、図６に示すように、短辺側の縁部１１ａには、床仕上材２１として仕上材連続体２１（Ｂ）を配置し、これに隣り合う側から順に仕上材連続体２１（Ａ）および他の仕上材連続体２１（Ｃ）〜２１（Ｅ）を順に敷設する。また、開口部５１および蓋体５２の設置箇所には、短辺側の縁部１１ａに近い側から仕上材連続体２１（Ｅ）、２１（Ｄ）、２１（Ｃ）を順に配置する。
【００５８】
ここで、基本的な形状の仕上材連続体２１（Ａ）を加工して形成する図７（ｂ）〜図７（ｅ）に示す各仕上材連続体２１（Ｂ）〜２１（Ｅ）について説明を加える。
【００５９】
仕上材連続体２１（Ｂ）は、床Ｆ１の長手方向の寸法調整のため、その幅寸法を仕上材連続体２１（Ａ）よりも小さく形成したものである。
【００６０】
仕上材連続体２１（Ｃ）〜（Ｅ）は、開口部５１および蓋体５２の設置位置に配置するため、開口部５１の縁に沿うようにカットしたものである。
【００６１】
仕上材連続体２１（Ｃ）は、図６、図７の図面上で開口部５１の左側に配置されるものであり、開口部５１の左側の形状に応じて矩形にカットされたカット部２１ｃを備える。
【００６２】
仕上材連続体２１（Ｄ）、２１（Ｄ）は、仕上材連続体２１（Ａ）の中間部を、開口部５１の寸法分だけカットして形成したものであり、図６、図７の図面上で開口部５１の上下に配置されるカット部２１ｄ，２１ｄを備える。
【００６３】
仕上材連続体２１（Ｅ）は、図６、図７の図面上で開口部５１の右側に配置されるものであり、開口部５１の右側の形状に応じて矩形にカットされたカット部２１ｅを備える。
【００６４】
したがって、第１の建物ユニット１１において、縁部１１ａに近い側から、仕上材連続体２１（Ｅ）、２１（Ｄ）、２１（Ｃ）を順に配置することにより、床Ｆ１には、図６に示すように、開口部５１に沿う開口を形成することができる。
【００６５】
また、第１の建物ユニット１１の工場敷設範囲ＫＦ１において、長辺側の縁部１１ｂに対向する側の長辺の近傍には、仕上材連続体２１（Ａ）を、図６において横向きにして敷設するとともに、残りの部分に、仕上材連続体２１（Ａ）を切断して長さを調節した仕上材連続体２１（Ｆ）を敷設する。なお、この仕上材連続体２１（Ｆ）は、目地２１ａによるグリッドで、３つ分弱の長さである。
【００６６】
また、第１の建物ユニット１１において、工場敷設範囲ＫＦ１に床仕上材２１の敷設を行った後は、その上に、キッチン台３１、収納棚３２を含む設備機器３０を設置し、工場での床Ｆ１の施工を終える。
【００６７】
さらに、上述した開口部５１には、蓋体５２を取り付ける。この蓋体５２の設置の際には、蓋体５２の表面仕上材５２２は、床仕上材２１と同材質の石目調であるが、目地２１ａが形成されていないため、隣り合う床仕上材２１と目地２１ａの位置を合わせる調整作業が不要である。このため、施工性に優れる。
【００６８】
すなわち、表面仕上材５２２に目地を有している場合、その目地を床仕上材２１の目地２１ａと連続するように配置する必要がある。したがって、表面仕上材５２２を、床仕上材２１の目地２１ａに一致するように加工する必要があり、この加工作業に非常に手間を要する。特に、開口部５１の下に床下収納庫を設置する場合、施工現場において床下収納庫を設置した後に、表面仕上材５２２を加工することになり、施工現場の作業として非常に手間を要する。
【００６９】
次に、第３の建物ユニット１３では、床仕上材２２を、図２に示すように、工場敷設範囲ＫＦ１の範囲で、この建物ユニット１３の長辺側の縁部１３ａから矢印ＦＳ２に沿う方向に順に敷設する。そして、第３の建物ユニット１３では、第２の建物ユニット１２との接続領域ＣＳ２３である現場敷設範囲ＧＦ３のみ、床仕上材２２を敷設しない範囲とする。
【００７０】
なお、第２の建物ユニット１３は、工場では、床Ｆ２の全域を床仕上材２２を敷設しない現場敷設範囲ＧＦ２とする。
【００７１】
（施工現場における工程）
床Ｆを施工するにあたり、施工現場において実行する工程を説明する。
【００７２】
第１〜第３の建物ユニット１１〜１３を施工現場に輸送し、第１の建物ユニット１１、第２の建物ユニット１２、第３の建物ユニット１３を順に隣接配置した後、床Ｆの施工を行う。
【００７３】
この床Ｆの施工において、まず、第３の建物ユニット１３の床Ｆ３において、工場敷設範囲ＫＦ３と現場敷設範囲ＧＦ３との境界部分から、第２の建物ユニット１２の床Ｆ２の現場敷設範囲ＧＦ２に向けて矢印ＦＳ２に沿う方向に床仕上材２２を順に敷設する。
【００７４】
さらに、第２の建物ユニット１２では、第１の建物ユニット１１の床Ｆ１の工場敷設範囲ＦＫ１の端部に向けて床仕上材２２を敷設する。
【００７５】
図３は、上記のように施工現場において、第３の建物ユニット１３から第２の建物ユニット１２に床仕上材２２を敷設する工程を示している。このように、施工現場において、新たに敷設する床仕上材２２の凸部２０Ｐを、工場において第３の建物ユニット１３の工場敷設範囲ＫＦ３に敷設された床仕上材２２の凹部２０Ｒに嵌合させて、接続領域ＣＳ２３に床仕上材２２を敷設する。
【００７６】
さらに、この接続領域ＣＳ２３に敷設した床仕上材２２の凹部２２Ｒに、新たに床仕上材２２の凸部２２Ｐを嵌合させて、床仕上材２２を第２の建物ユニット１２の床下地材１８の上に敷設する。この床仕上材２２の敷設作業を、第２の建物ユニット１２において、第１の建物ユニット１１側の端部に向かって順に繰り返し行って、第２の建物ユニット１２の現場敷設範囲ＧＦ２の全域に床仕上材２２を敷設する。
【００７７】
そして、現場敷設範囲ＧＦ２の全域に床仕上材２２を敷設したら、この第２の建物ユニット１２と第１の建物ユニット１１との接続領域ＣＳ１２に、図４に示すように、凹部２２Ｒを含む端部を切断して平らな端面２２１を有する床仕上材２２（ｔ）を敷設する。このとき、端面２２１は、図４に示すように、第１の建物ユニット１１に敷設された床仕上材２１の端面２１１との間に、隙間Ｇを形成して配置される。
【００７８】
次に、第１の建物ユニット１１の床仕上材２１の端面２１１と、第２の建物ユニット１２の床仕上材２２の端面２２１の端面２２１との境界部にできる隙間Ｇに、図５に示すように、隙間Ｇに面する両床仕上材２１，２２の端縁部をヘッド４１により覆うとともに、隙間Ｇに脚部４２を挿入して、見切材４０を取り付ける。なお、見切材４０は隙間Ｇに充填した接着剤により固定する。
【００７９】
以上の工程を経て、図１に示すユニット建物の床Ｆを形成する。
【００８０】
（実施の形態１の効果）
以下に、実施の形態１の床構造および床の施工方法の効果を列挙する。
【００８１】
１）本実施の形態１の床構造は、
床Ｆ１に開口部５１が設けられているとともに、開口部５１を開閉する蓋体５２が設けられ、
開口部５１の周囲の床Ｆ１には、所定間隔の目地２１ａを有するとともに、無地、石目調を含む方向性の無い柄を有する床仕上材２１が敷設され、
蓋体５２は、床仕上材２１の目地２１ａの間隔よりも大きな寸法に形成され、かつ、床仕上材２１と同素材、同柄であり目地２１ａを有しない表面仕上材５２２により覆われていることを特徴とする。
【００８２】
したがって、蓋体５２を床Ｆ１の開口部５１に取り付ける際に、床Ｆ１の床仕上材２１の目地２１ａにその表面仕上材５２２の位置を合わせる作業が不要であり、施工性に優れるとともに、目地の位置がずれた場合のような、外観品質の悪化を招く恐れが無い。
【００８３】
しかも、表面仕上材５２２は、目地は有さないものの、床Ｆ１の床仕上材２１と同材質、同柄であるため、床仕上材２１と異なる材質の表面仕上材を用いた場合と比較して、床Ｆ１との一体感が得られ、高い外観品質を得ることができる。
【００８４】
このように、実施の形態１の床構造は、施工性に優れるとともに、高い外観品質を得ることができる。
【００８５】
２）実施の形態１の床構造は、
蓋体５２は、外周が枠体５３により囲まれていることを特徴とする。
【００８６】
したがって、床Ｆ１の床仕上材２１と蓋体５２の表面仕上材５２２とが、枠体５３により区画され、床仕上材２１の目地２１ａとの連続性が枠体５３により断たれる。このため、枠体５３を備えないものと比較して、表面仕上材５２２が床仕上材２１の目地２１ａに連続する目地を有しないことによる違和感を与えにくく、表面仕上材５２２に目地を有していなくても高い外観品質を確保することができる。
【００８７】
３）実施の形態１の床の施工方法は、
工場において、
建物ユニットの床Ｆ１に、開口部５１を設ける工程と、
床Ｆ１に、開口部５１を囲んで床仕上材２１を敷設する工程と、
開口部５１に、表面仕上材５２２が設けられた蓋体５２を設置する工程と、
を実行することを特徴とする。
【００８８】
したがって、工場において、建物ユニットの床Ｆ１に開口部５１を設け、床Ｆ１に床仕上材２１を敷設し、表面仕上材５２２が設けられた蓋体５２を開口部５１に設置する作業を実施するため、蓋体５２の設置などを、施工現場で行うものと比較して、施工現場における工数を削減でき、施工性に優れる。
【００８９】
４）実施の形態１の床の施工方法は、
工場において、
開口部５１の周囲に床仕上材２１を敷設する工程では、第１の建物ユニット１１に隣接配置される第２の建物ユニット１２との境界部を含む少なくとも一部に、床仕上材２１を敷設しない未設置部としての接続領域ＣＳ１２を設け、
第２の建物ユニット１２に床Ｆ２を設置する工程に、第１の建物ユニット１１との境界部を含む少なくとも一部に第１の建物ユニット１１の床仕上材２１と異なる第２の床仕上材２２を敷設しない未設置部としての現場敷設範囲ＧＦ２を設ける工程を有し、
両建物ユニット１１，１２を設置する施工現場において、
第１の建物ユニット１１と第２の建物ユニット１２とを隣接させて設置する工程と、
第２の建物ユニット１２の床仕上材２２の未設置部としての現場敷設範囲ＧＦ２から、第１の建物ユニット１１の未設置部としての接続領域ＣＳ１２にかけて第２の床仕上材２２を敷設する工程と、
第１の建物ユニット１１において既設の床仕上材２１と、施工現場で敷設した第２の床仕上材２２との境界部にできる隙間Ｇに見切材４０を装填する工程と、
を実行することを特徴とする。
【００９０】
したがって、施工現場において、建物ユニット１１における床仕上材２１の既設部と、これに隣接する第２の建物ユニット１２にて施工現場で敷設した第２の床仕上材２２との境界部に見切材を装填するときに、隙間Ｇの寸法に変動があったり、隙間Ｇを挟んで相対向するそれらの床仕上材２１，２２の端面２１１，２２１どうしの平行度が低くかったりしても、これを見切材４０により隠すことができる。よって、床品質の安定化を図ることができる。
【００９１】
以上、本開示の階段制振構造を実施の形態に基づき説明してきたが、具体的な構成については、これらの実施の形態に限られるものではなく、特許請求の範囲の各請求項に係る発明の要旨を逸脱しない限り、設計の変更や追加等など許容される。
【００９２】
実施の形態では、ユニット建物を構成する建物ユニットの床構造に適用した床構造を例示したが、この床構造の適用対象は、建物ユニットに限定されるものではない。
【００９３】
また、実施の形態では、床仕上材および表面仕上材として、石目調の柄を有したものを示したが、その柄としては、方向性を有しないものであれば、これに限定されるものではなく、無地など他の方向性を有しない柄のものを用いることができる。
【符号の説明】
【００９４】
Ｆ１ （第１の建物ユニットの）床
２１ 床仕上材
５１ 開口部
５２ 蓋体
５３ 枠体
５２２     表面仕上材
【図１】
2018087473.tif 000003
【図２】
2018087473.tif 000004
【図３】
2018087473.tif 000005
【図４】
2018087473.tif 000006
【図５】
2018087473.tif 000007
【図６】
2018087473.tif 000008
【図７】
2018087473.tif 000009
【図８】
2018087473.tif 000010
【図９】
2018087473.tif 000011